(57)【要約】【課題】証紙だけを見やすくする。【解決手段】証紙６０の設けられた遊技盤５１が遊技機枠の内部に装着され、遊技機枠の前扉４が閉じられ、遊技者が遊技機枠の前側から証紙視認部９を見た場合、突起前壁３４よりも面積が小さく厚さが薄く形成された光透過性の有る有色な合成樹脂からなる証紙視認薄肉部３５を通し、証紙視認薄肉部３５の裏側に存在する証紙６０の前面に記載された文字や記号を視認しやすく、光透過性の有る有色な合成樹脂により構成された証紙視認突起２９が前扉４に対する色彩による装飾の自由度を高くし、証紙６０以外における遊技盤５１の遊技機枠に組み付けられた内部構造を視認することが不可能となっている。【選択図】図１
2006325650.tif 000002
【特許請求の範囲】
【請求項１】
証紙の設けられた遊技盤が遊技機枠の内部に装着され、遊技機枠の前扉が閉じられた場合、遊技機枠の前側から前扉の証紙視認部を経由して証紙を視認可能とする遊技機の証紙表示装置において、前扉は光遮断性の有る有色な合成樹脂により構成され、証紙視認部は、前扉に前後方向への貫通孔として形成された証紙視認配置孔と、前扉の裏側から前扉の裏面に取り付けられる化粧基盤と、化粧基盤から証紙視認配置孔に挿入されるように前側に突出した光透過性の有る有色な合成樹脂により構成された証紙視認突起と、証紙視認突起の突起前壁に光透過性の有る有色な合成樹脂により突起前壁よりも面積が小さく厚さが薄く形成された証紙視認薄肉部とから構成されたことを特徴とする遊技機の証紙表示装置。
【請求項２】
証紙視認薄肉部の面積が証紙の前面と平行な面積よりも小さく形成されたことを特徴とする請求項１記載の遊技機の証紙表示装置。
【請求項３】
証紙視認配置孔が前扉から裏側に突出した配置孔周壁で囲まれたことを特徴とする請求項１記載の遊技機の証紙表示装置。
【発明の詳細な説明】
【技術分野】
【０００１】
本発明は、証紙だけが見やすくなる遊技機の証紙表示装置に関する。
【背景技術】
【０００２】
図４は、公知な遊技機の１つであるパチンコ機の証紙表示装置を示す。図４において、パチンコ機の遊技機枠１は、固定枠２の前側に可動枠３を開閉可能に備え、可動枠３の前側に前扉４および球皿構造体５を開閉可能に備える。固定枠２は、島と呼ばれる遊技機設置構造体に取り付けるための外枠とも呼ばれる。可動枠３は、遊技に必要な部品を取り付ける前枠とも呼ばれる。可動枠３は、左側に位置するヒンジ６を中心とし、固定枠２の前側で前側に開かれかつ後側に閉じられるように、片開き可能である。前扉４および球皿構造体５は、左側に位置するヒンジ７を中心とし、可動枠３の前側で前側に開かれかつ後側に閉じられるように、個別に、片開き可能である。前扉４は、パネル枠とも呼ばれ、遊技視認部８および証紙視認部９を備える。遊技視認部８は、前扉４に前後方向に貫通する遊技視認孔１０を、裏側から光透過性の有る無色なガラスのような材料からなるパネル１１で塞いだ構造である。証紙視認部９は、前扉４に前後方向に貫通する証紙視認孔１２を、光透過性の有る無色な合成樹脂のような材料からなるカバー部材１３で塞いだ構造である。球皿構造体５は、球受皿部１４および球発射操作機構１５を、球皿構造体５の前面から前側に突出した形態に備える。パチンコ機の遊技盤５１は、前面の内ガイドレール５２と外ガイドレール５３とで囲まれた内側の遊技領域５４に、入賞部品５５、アウト口５６、球戻り防止弁５７、図外の風車、図外の遊技釘、図外のサイドランプ、図外のセンター飾りなどの遊技部品を備える。内ガイドレール５２の左側部と外ガイドレール５３の左側部との間の隙間は、球発射通路５８を構成する。前面の内ガイドレール５２および外ガイドレール５３よりも外側の非遊技領域５９に、証紙６０を備える。証紙６０は、遊技盤５１が検査に合格して販売の認可を受けたことを証明するものであって、非遊技領域５９における右下部に貼り付けられる。そして、少なくとも、前扉４が開けられた状態において、遊技領域５４が前側に向けられ、遊技盤５１が可動枠３の内部に格納されて取り付けられた後、可動枠３が閉じられて固定枠２に開閉不能に支持され、前扉４および球皿構造体５が閉じられて可動枠３に開閉不能に支持される。このように、証紙６０の設けられた遊技盤５１が遊技機枠１の内部に装着され、遊技機枠１の前扉４が閉じられた形態においては、遊技領域５４が遊技機枠１の前側から前扉４の遊技視認部８を経由して視認可能となり、証紙６０が遊技機枠１の前側から前扉４の証紙視認部９を経由して視認可能となる。さらに、遊技店の従業員が図外の電源装置の電源スイッチを投入し、電源装置が遊技機設置構造体に設けられた島電源から供給された交流電源を直流電源に変換し、電源装置が変換した直流電源を図外の制御装置に供給し、制御装置が起動した状態において、遊技者が球受皿部１４にパチンコ球と呼ばれる球を入れて球発射操作機構１５を操作すると、制御装置が球皿構造体５の裏側で可動枠３に設けられた図外の球発射機構を球発射操作機構１５から出力された操作量に応じた発射力で例えば１分間に１から１００発未満までの所定数の間隔で駆動し、球発射機構が球受皿部１４から球皿構造体５の裏面に設けられた図外の球供給口を経由して球皿構造体５の裏側で可動枠３に設けられた図外の球発射レールに供給された球を１個ずつ球発射通路５８に向けて発射する。球発射通路５８に発射された球が、球発射通路５８から球戻り防止弁５７を押し開けて遊技領域５４に到達した後に遊技領域５４を流下する過程において、複数の入賞部品５５のいずれかに入賞すると、それぞれの入賞に対応する賞球としての球が、図外の球払出装置から球皿構造体５の裏面に設けられた球取入口を経由して球受皿部１４に払い出される。入賞部品５５に入賞しないで遊技領域５４の下部に到達した球は、アウト口５６から遊技盤５１の裏側に排出される。しかしながら、証紙視認部９は証紙視認孔１２が光透過性の有る無色なカバー部材１３で塞がれた構造である。このため、カバー部材１３を光透過性の有る有色で構成した場合に比べ、前扉４に対する色彩による装飾の自由度が低下するという欠点がある。しかも、図５に示すように、遊技者６１が遊技機枠１の前側から証紙視認部９を見た場合、視野が仮想線Ｌ２で示すように証紙６０よりも広くなり、証紙６０以外に、遊技盤５１の遊技機枠１に組み付けられた内部構造までも容易に視認可能である。係る遊技機枠１の内部構造が見えた場合、心無い遊技者がピアノ線のような不正操作部材を遊技機枠１の前側から隙間を経由して内部に挿入して不正を働くという、不正行為を誘発する可能性もある。図５において、前扉４と遊技盤５１との間の隙間６２は、遊技領域５４を流下する球Ｐが通過する空間を示す。
【特許文献１】特開２００４−６５６８８号公報
【発明の開示】
【発明が解決しようとする課題】
【０００３】
発明が解決しようとする問題点は、色彩による装飾の自由度が低いうえ、証紙以外の遊技機枠の内部構造も見えてしまうという点である。
【課題を解決するための手段】
【０００４】
本発明に係る遊技機の証紙表示装置は、証紙の設けられた遊技盤が遊技機枠の内部に装着され、遊技機枠の前扉が閉じられた場合、遊技機枠の前側から前扉の証紙視認部を経由して証紙を視認可能とする遊技機の証紙表示装置において、前扉は光遮断性の有る有色な合成樹脂により構成され、証紙視認部は、前扉に前後方向への貫通孔として形成され証紙視認配置孔と、前扉の裏側から前扉の裏面に取り付けられる化粧基盤と、化粧基盤から証紙視認配置孔に挿入されるように前側に突出した光透過性の有る有色な合成樹脂により構成された証紙視認突起と、証紙視認突起の突起前壁に突起前壁よりも面積が小さく厚さが薄く形成された光透過性の有る有色な合成樹脂からなる証紙視認薄肉部とから構成されたことを最も主要な特徴とする。証紙視認薄肉部の面積が証紙の前面と平行な面積よりも小さく形成されたり、証紙視認配置孔が前扉から裏側に突出した配置孔周壁で囲まれたりしてもよい。
【発明の効果】
【０００５】
本発明に係る遊技機の証紙表示装置は、証紙の設けられた遊技盤が遊技機枠の内部に装着され、遊技機枠の前扉が閉じられ、遊技者が遊技機枠の前側から証紙視認部を見た場合、突起前壁よりも面積が小さく厚さが薄く形成された光透過性の有る有色な合成樹脂からなる証紙視認薄肉部を通し、証紙視認薄肉部の裏側に存在する証紙の前面に記載された文字や記号などの情報を視認しやすく、光透過性の有る有色な合成樹脂により構成された証紙視認突起が前扉に対する色彩による装飾の自由度を高くし、証紙以外における遊技盤の遊技機枠に組み付けられた内部構造を視認することが不可能となり、不正行為を防止することができるという利点がある。証紙視認薄肉部の面積が証紙の前面と平行な面積よりも小さく形成されれば、遊技機枠の前側から証紙視認部を見る遊技者の視野が証紙よりも広くならないという利点がある。証紙視認配置孔が前扉から裏側に突出した配置孔周壁で囲まれれば、証紙視認突起が前扉に取り付けられた場合、突起周壁の外面と前扉における配置孔周壁の内面とが、互いに接触するかまたは接触する程度に近づいて証紙視認薄肉部の裏面と平行な方向に重なり合うように対向するので、不正操作部材が突起周壁の外面と配置孔周壁の内面との隙間に挿入されても、突起周壁の外面と配置孔周壁の内面との隙間に挿入された不正操作部材の先端が、配置孔周壁の裏面と向き合う化粧基盤の前面に衝突し、それ以上内部に侵入しないように阻止され、不正操作部材の侵入を防止するという利点がある。
【発明を実施するための最良の形態】
【０００６】
図１乃至図３は、発明を実施するための最良の形態である。図１は、図２をＡ−Ａ線に沿い切断し、演出表示突起２８や証紙視認突起２９に対する結合部３０および逃部３１の位置を図２と異ならせて模式的に表現した断面を示す。図２は、パチンコ機を分解して示す。図３は、証紙表示装置を分解して示す。この明細書において、「前」、「後」、「裏」、「左」、「右」、「上」、「下」の方向は、図２の状態に遊技機枠１および遊技盤５１を置いて矢印Ｓで示す前側から見た場合に特定される方向である。「後」と「裏」とは同じ方向である。
【０００７】
図２を参照し、遊技機枠１の構造について説明する。図２の遊技機枠１が図４の遊技機枠１と異なる部分は、前扉４における証紙表示装置の構造である。前扉４は、光遮断性の有る有色な合成樹脂により構成され、遊技視認孔１０とパネル１１とからなる遊技視認部８を中央に備え、証紙視認部９を右下に備え、装飾部１７を右下に備え、演出表示部１８を左右に備える。装飾部１７は、証紙視認部９と左右の釣り合いを取るために設けられた部分である。装飾部１７および証紙視認部９は、左右対称な形状である。
【０００８】
図３を参照し、前扉４の右下に位置する演出表示部１８と演出表示孔１９との構造について説明する。前扉４には、複数の演出表示孔１９が上下方向に離れて縦列配置されて前後方向への貫通孔として形成され、演出表示孔１９を個別に囲む表示孔周壁２０が前扉４から裏側に突出し、証紙視認配置孔２１が演出表示孔１９から下部に離れて前後方向への貫通孔として形成され、証紙視認配置孔２１を囲む配置孔周壁２２が前扉４から裏側に突出し、演出部品取付部２４および化粧体取付部２３が前扉４の裏面から裏側に突出した筒状の柱として形成される。
【０００９】
化粧体２６は、光透過性の有る有色な合成樹脂により構成され、縦長な板状の化粧基盤２７に、演出表示突起２８、証紙視認突起２９、結合部３０、逃部３１を備える。演出表示突起２８は、演出表示孔１９に個別に挿入されるものであって、化粧基盤２７の裏面から前面よりも前側に突出する。演出表示突起２８の裏面には、裏側にだけ開口した窪みが形成される。演出表示突起２８の前壁は、光を拡散するレンズ部３２を構成する。演出表示突起２８が前扉４の裏側から演出表示孔１９に挿入された場合、演出表示突起２８における突起周壁３３の外面と前扉４における表示孔周壁２０の内面とが、互いに接触するかまたは接触する程度に近づいて演出表示突起２８のレンズ部３２と平行な方向に重なり合うように対向する。
【００１０】
証紙視認突起２９は、証紙視認配置孔２１に挿入されるものであって、化粧基盤２７の裏面から前面よりも前側に突出する。証紙視認突起２９の裏面には、裏側にだけ開口した窪みが形成される。証紙視認突起２９の突起前壁３４には証紙視認薄肉部３５が設けられる。証紙視認突起２９が前扉４の裏側から証紙視認配置孔２１に挿入された場合、証紙視認突起２９における突起周壁３６の外面と前扉４における配置孔周壁２２の内面とが、互いに接触するかまたは接触する程度に近づいて証紙視認薄肉部３５の裏面と平行な方向に重なり合うように対向する。
【００１１】
結合部３０は、証紙視認突起２９が証紙視認配置孔２１に挿入された場合、化粧体取付部２３と対向するものであって、化粧体２６を前扉４に取り付けるためのタッピングスクリューのような止ねじ３７のねじ部を挿入するための前後方向への貫通孔として形成される。逃部３１は、証紙視認突起２９が証紙視認配置孔２１に挿入された場合、演出部品取付部２４を挿入するための前後方向への貫通孔として形成される。
【００１２】
演出表示部１８には、演出表示部品４１が、光によって演出を表示する要素として設けられる。演出表示部品４１は、回路基板からなる表示灯基板４２の前面に、ＬＥＤからなる光源４３を実装した構造である。光源４３は、演出表示突起２８のそれぞれに少なくとも１個配置される。表示灯基板４２には、結合部４４が、演出表示部品４１を前扉４に取り付けるためのタッピングスクリューのような止ねじ４５のねじ部を挿入するための前後方向への貫通孔として形成される。
【００１３】
前扉４と化粧体２６と演出表示部品４１との組立方について説明する。前扉４の裏面と化粧体２６の前面とが互いに向かい合わされ、演出表示突起２８が前扉４の裏側から演出表示孔１９に挿入され、証紙視認突起２９が前扉４の裏側から証紙視認配置孔２１に挿入され、演出部品取付部２４が前扉４の裏側から逃部３１に挿入される。そして、止ねじ３８が化粧体２６の裏側から結合部３０を経由して化粧体取付部２３の内部孔に締結されることによって、化粧体２６が前扉４の裏面に固定的に取り付けられる。その後、演出表示部品４１の光源４３が化粧体２６の側に向けられ、止ねじ４５が表示灯基板４２の裏側から結合部３０の内部孔に締結されることによって、演出表示部品４１が化粧体２６よりも裏側に位置して前扉４の裏面に固定的に取り付けられる。このように前扉４と化粧体２６と演出表示部品４１とが互いに組み立てられることによって、証紙表示装置が図１に示す構造に形成される。
【００１４】
図１を参照し、最良の形態の作用および効果について説明する。遊技盤５１が図２の遊技機枠１の可動枠３に装着され、化粧体２６と演出表示部品４１とを備えた前扉４が閉じられて可動枠３に開閉不能に支持された状態において、遊技者６１が遊技機枠１の前側から証紙視認部９を見た場合、視野が仮想線Ｌ１で示すように証紙６０よりも広くならないという利点がある。その理由は、証紙視認突起２９が光透過性の有る有色な合成樹脂により構成され、遊技者６１が突起前壁３４の前側から有色な突起前壁３４を通して突起前壁３４の裏側を見た場合に突起前壁３４の裏側を視認しにくい視界不良な形態となるように、突起前壁３４の厚さＴ１が厚く構成され、遊技者６１が突起前壁３４の前側から有色な証紙視認薄肉部３５を通して証紙視認薄肉部３５の裏側を見た場合に証紙視認薄肉部３５の裏側に存在する証紙６０の前面に記載された文字や記号などの情報を視認しやすい視界良好な形態となるように、証紙視認薄肉部３５の厚さＴ２が薄く構成され、証紙視認薄肉部３５の光透過率が高く構成されているからである。証紙視認突起２９が光透過性の有る有色な合成樹脂により構成されているので、前扉４に対する色彩による装飾の自由度が高くなるという利点がある。
【００１５】
また、証紙視認薄肉部３５の前面と平行な面積Ｓ２は、証紙６０の前面と平行な面積Ｓ１および突起前壁３４の裏面と平行な面積Ｓ３よりも小さく形成されている。つまり、証紙視認薄肉部３５の面積Ｓ２が遊技者６１の目と証紙６０の周縁部とを結ぶ仮想線Ｌ１で囲まれる範囲内に設定されることによって、遊技者６１による証紙視認薄肉部３５で規定される視野が、好適に狭くなる。したがって、遊技者６１が遊技機枠１の前側から証紙視認部９を見た場合、視野が仮想線Ｌ１で示すように証紙６０よりも広くならず、遊技者６１が証紙６０以外における遊技盤５１の遊技機枠１に組み付けられた内部構造を視認することが不可能となるという利点がある。よって、心無い遊技者による不正行為も防止することができる。
【００１６】
証紙視認突起２９が前扉４に取り付けられた場合、突起周壁３６の外面と前扉４における配置孔周壁２２の内面とが、互いに接触するかまたは接触する程度に近づいて証紙視認薄肉部３５の裏面と平行な方向に重なり合うように対向しているので、心無い遊技者が、不正操作部材を突起周壁３６の外面と前扉４における配置孔周壁２２の内面との隙間に挿入しても、当該突起周壁３６の外面と配置孔周壁２２の内面との隙間に挿入された不正操作部材の先端が、配置孔周壁２２の裏面と向き合う化粧基盤２７の前面に衝突し、それ以上内部に侵入しないように阻止される。つまり、証紙視認突起２９と証紙視認配置孔２１との組み合わせ部分が、不正操作部材の侵入を防止するという利点がある。
【００１７】
演出表示突起２８が前扉４に取り付けられた場合、突起周壁３３の外面と前扉４における表示孔周壁２０の内面とが、互いに接触するかまたは接触する程度に近づいてレンズ部の裏面と平行な方向に重なり合うように対向しているので、心無い遊技者が、不正操作部材を突起周壁３３の外面と前扉４における表示孔周壁２０の内面との隙間に挿入しても、当該突起周壁３３の外面と表示孔周壁２０の内面との隙間に挿入された不正操作部材の先端が、表示孔周壁２０の裏面と向き合う化粧基盤２７の前面に衝突し、それ以上内部に侵入しないように阻止される。つまり、演出表示突起２８と演出表示孔１９との組み合わせ部分が、不正操作部材の侵入を防止するという利点がある。
【００１８】
演出表示突起２８と証紙視認突起２９とが化粧体２６に一体に構成されているので、化粧体２６を前扉４に取り付けることによって、証紙視認部９と演出表示部とが前扉４に設けられるので、証紙視認部９と演出表示部とを前扉４に設ける組立作業が容易になるという利点がある。
【産業上の利用可能性】
【００１９】
演出表示突起２８と証紙視認突起２９とが、別々の光透過性の有る有色な合成樹脂からなる別々の部材として構成されてもよい。演出表示突起２８や証紙視認突起２９の一方または両方は、前扉４の前面よりも前側に突出しなくてもよい。結合部３０は、化粧基盤２７の前面から裏側に化粧体取付部２３を取り込むことの可能な窪みとして形成されてよい。レンズ部３２における光源４３の側に位置する裏面には、光源４３から図５に矢印で示すように照射された光を良好に拡散するための凹凸を形成してもよい。演出表示部品４１は、化粧体２６に取り付けることも可能である。非遊技領域５９に化粧部品を構成する盤面飾りを遊技盤５１に設け、当該盤面飾りの前面に証紙６０を設ければ、証紙６０が証紙視認薄肉部３５に近くなり、視認薄肉部３５の面積Ｓ１を一層小さく形成することができるうえ、人が遊技機枠１の前側から証紙視認薄肉部３５を通して証紙６０に表現された文字や記号などの情報を一層容易に視認することができる。盤面飾りに証紙６０を設ける場合、盤面飾りの証紙６０を設ける部分を開閉体として構成してもよい。
【図面の簡単な説明】
【００２０】
【図１】図２のＡ−Ａ線断面図（最良の形態）。
【図２】パチンコ機の遊技機枠と遊技盤とを示す分解斜視図（最良の形態）。
【図３】証紙表示装置を示す分解斜視図（最良の形態）。
【図４】パチンコ機の遊技機枠と遊技盤とを示す分解斜視図（従来）。
【図５】図４のＢ−Ｂ線断面図（従来）。
【符号の説明】
【００２１】
１    遊技機枠
４    前扉
９    証紙視認部
２１  証紙視認配置孔
２７  化粧基盤
２９  証紙視認突起
３５  証紙視認薄肉部
６０  証紙
【図１】
2006325650.tif 000003
【図２】
2006325650.tif 000004
【図３】
2006325650.tif 000005
【図４】
2006325650.tif 000006
【図５】
2006325650.tif 000007